(57)【要約】【課題】読み取り対象となる媒体に応じた撮像を可能とする。【解決手段】読み取り装置１０は、第１撮像部１２と、第２撮像部１３と、制御部１８とを有する。第１撮像部１２は、台座１４に立設された支柱１５により支持され、台座１４に載置された媒体２０を媒体２０の第１の方向から撮像する。第２撮像部１３は、台座１４に設置され、媒体２０の第２の方向から撮像する。制御部１８は、媒体２０の選択または媒体２０を取り扱う業務の選択を受け付け、媒体２０または業務に応じて、少なくとも第１撮像部１２または第２撮像部１３のいずれかに媒体２０を撮像させる。【選択図】図１
2018207204.tif 000002
【特許請求の範囲】
【請求項１】
台座に立設された支柱により支持され、前記台座に載置された媒体を前記媒体の第１の方向から撮像する第１撮像部と、
前記台座に設置され、前記媒体の第２の方向から撮像する第２撮像部と、
前記媒体の選択または前記媒体を取り扱う業務の選択を受け付け、前記媒体または前記業務に応じて、少なくとも前記第１撮像部または前記第２撮像部のいずれかに前記媒体を撮像させる制御部と、
を有する読み取り装置。
【請求項２】
前記第２撮像部は、前記第１撮像部よりも高い解像度を有する画像を撮像可能である、
請求項１記載の読み取り装置。
【請求項３】
前記第１撮像部は、前記第２撮像部よりも広い範囲の撮像範囲を有する、
請求項１記載の読み取り装置。
【請求項４】
前記制御部は、
前記媒体として文字認識を必要とする媒体の選択を受け付けた場合、または、前記業務として第１の業務の選択を受け付けた場合、前記第１撮像部に前記媒体を撮像させ、
前記第１撮像部から前記媒体の画像データを取得し、
前記画像データに対して文字認識を実行する、
請求項１乃至３のいずれか１項に記載の読み取り装置。
【請求項５】
前記制御部は、
前記媒体として文字認識および印影照合を必要とする媒体の選択を受け付けた場合、または、前記業務として第２の業務の選択を受け付けた場合、前記第１撮像部に前記媒体を撮像させ、
前記第１撮像部から前記媒体の画像データを取得し、
前記画像データに対して文字認識および印影照合を実行する、
請求項１乃至３のいずれか１項に記載の読み取り装置。
【請求項６】
前記制御部は、
前記媒体として文字認識および画像保存を必要とする媒体の選択を受け付けた場合、または、前記業務として第３の業務の選択を受け付けた場合、前記第１撮像部に前記媒体を撮像させ、
前記第１撮像部から前記媒体の画像データを取得し、
前記画像データに対して文字認識を実行し、
前記媒体とは異なる他の媒体の撮像の可否を判定し、
前記他の媒体の撮像が可能と判定した場合、前記第１撮像部に前記他の媒体の第１面を撮像させ、前記第２撮像部に前記他の媒体の第２面を撮像させ、
前記第１撮像部から前記他の媒体の前記第１面の画像データを取得し、
前記第２撮像部から前記他の媒体の前記第２面の画像データを取得する、
請求項１乃至３のいずれか１項に記載の読み取り装置。
【請求項７】
前記制御部は、
前記媒体としてバーコード認識を必要とする媒体の選択を受け付けた場合、または、前記業務として第４の業務の選択を受け付けた場合、前記第２撮像部に前記媒体を撮像させ、
前記第２撮像部から前記媒体の画像データを取得し、
前記画像データに対してバーコード認識を実行する、
請求項１乃至３のいずれか１項に記載の読み取り装置。
【請求項８】
読み取り装置における読み取り方法であって、
前記読み取り装置は、
台座に立設された支柱により支持され、前記台座に載置された媒体を前記媒体の第１の方向から撮像する第１撮像部と、
前記台座に設置され、前記媒体の第２の方向から撮像する第２撮像部とを備え、
前記媒体の選択または前記媒体を取り扱う業務の選択を受け付け、前記媒体または前記業務に応じて、少なくとも前記第１撮像部または前記第２撮像部のいずれかに前記媒体を撮像させる、
読み取り方法。
【発明の詳細な説明】
【技術分野】
【０００１】
本発明は、読み取り装置及び読み取り方法に関する。
【背景技術】
【０００２】
金融機関では、帳票等の媒体を読み取る読み取り装置が用いられている。読み取り装置では、スタンド型のイメージスキャナ（ＯＨＲ：Over Head Reader）が、台座にセットされた媒体の画像を撮像し、情報処理装置が当該画像から記載内容を抽出して、媒体の読み取りを行う。
【０００３】
スタンド型のイメージスキャナにおいて、撮像画像に被写体以外の物体の画像が含まれているか否かを判定する技術が提案されている。
【先行技術文献】
【特許文献】
【０００４】
【特許文献１】特開２０１２−２４３１２０号公報
【発明の概要】
【発明が解決しようとする課題】
【０００５】
スタンド型のイメージスキャナは、読み取り対象となる媒体と撮像部であるカメラとの距離が離れている。このため、スタンド型のイメージスキャナで運転免許証等のように表面に光沢がある媒体を撮像した画像は、光の反射が写り込み媒体の画像が取得しにくい場合がある。
【０００６】
また、スタンド型のイメージスキャナで媒体を撮像する場合、媒体に応じて求められる画像の大きさや解像度が異なる。狭い範囲で高い解像度の画像が求められる媒体（たとえば、運転免許証、バーコード付き帳票）もあれば、広い範囲で中程度の解像度の画像が求められる媒体（たとえば、Ａ４サイズの帳票）もある。
【０００７】
このため、スタンド型のイメージスキャナにおいて、媒体に応じた読み取り装置および読み取り方法が求められている。
一側面では、本発明は、読み取り対象となる媒体に応じた撮像を可能とする読み取り装置および読み取り方法を提供することを目的とする。
【課題を解決するための手段】
【０００８】
上記目的を達成するために、以下に示すような読み取り装置を提供する。読み取り装置は、第１撮像部と、第２撮像部と、制御部とを有する。第１撮像部は、台座に立設された支柱により支持され、台座に載置された媒体を媒体の第１の方向から撮像する。第２撮像部は、台座に設置され、媒体の第２の方向から撮像する。制御部は、媒体の選択または媒体を取り扱う業務の選択を受け付け、媒体または業務に応じて、少なくとも第１撮像部または第２撮像部のいずれかに媒体を撮像させる。
【発明の効果】
【０００９】
一態様によれば、読み取り装置および読み取り方法において、読み取り対象となる媒体に応じた撮像を可能とする。
【図面の簡単な説明】
【００１０】
【図１】第１の実施の形態の読み取り装置の一例を示す図である。
【図２】第２の実施の形態の読み取り装置のハードウェア構成の一例を示す図である。
【図３】第２の実施の形態のイメージスキャナの概略構成の一例を示す図である。
【図４】第２の実施の業務処理対応表の一例を示す図である。
【図５】第２の実施の形態の帳票例を示す図である。
【図６】第２の実施の形態の業務処理のフローチャートを示す図である。
【図７】第２の実施の形態の入金処理のフローチャートを示す図である。
【図８】第２の実施の形態の出金処理のフローチャートを示す図である。
【図９】第２の実施の形態の口座開設処理のフローチャートを示す図である（その１）。
【図１０】第２の実施の形態の口座開設処理のフローチャートを示す図である（その２）。
【図１１】第２の実施の形態の税公金処理のフローチャートを示す図である。
【図１２】第２の実施の形態の読み取り装置による帳票の撮像の一例を示す図である。
【図１３】第２の実施の形態の読み取り装置による運転免許証の撮像の一例を示す図である。
【発明を実施するための形態】
【００１１】
以下、図面を参照して実施の形態について説明する。
［第１の実施の形態］
第１の実施の形態について、図１を用いて説明する。
【００１２】
図１は、第１の実施の形態の読み取り装置の一例を示す図である。
読み取り装置１０は、イメージスキャナ１１と、イメージスキャナ１１の撮像を制御する情報処理部１７とを含む。
【００１３】
イメージスキャナ１１は、第１撮像部１２と、第２撮像部１３と、台座１４と、支柱１５と、ヘッド部１６とを備える。
台座１４は、撮像対象となる媒体２０を載置する台であるとともに、媒体２０を撮像する第２撮像部１３を備える。
【００１４】
支柱１５は、台座１４に立設された棒状の部材である。支柱１５は、上部に第１撮像部１２を含むヘッド部１６を支持している。
ヘッド部１６は、支柱１５と第１撮像部１２とを接続する部材である。なお、支柱１５が略逆Ｌ字形状である場合、ヘッド部１６を個別に設けず、支柱１５に直接第１撮像部１２を設置することが可能である。
【００１５】
第１撮像部１２は、台座１４に対向する側、すなわち、下向きに設けられている。第１撮像部１２は、台座１４に立設された支柱１５により支持され、台座１４に載置された媒体２０を媒体２０の第１の方向（たとえば、上側）から撮像する。言い換えると、第１撮像部１２は、台座１４に載置された媒体２０の上向きの面を撮像する。第１撮像部１２として、たとえば、二次元の画像を取得可能なＣＣＤ（Charge-Coupled Device）カメラが用いられる。第１撮像部１２は、第２撮像部１３よりも広い範囲の撮像範囲を有する。たとえば、第１撮像部１２は、Ａ４サイズの媒体の撮像が可能であり、第２撮像部１３は、Ｂ６サイズ以下の媒体の撮像が可能である。
【００１６】
第２撮像部１３は、台座１４に備えられ、第１撮像部１２に対向する側、すなわち、上向きに設けられている。第２撮像部１３は、台座１４に設置され、媒体２０の第２の方向（たとえば、下側）から撮像する。言い換えると、第２撮像部１３は、台座１４に載置された媒体２０の下向きの面を撮像する。第２撮像部１３として、たとえば、ラインセンサタイプの撮像装置やエリアセンサタイプの撮像装置が用いられる。第２撮像部１３は、第１撮像部１２よりも高い解像度を有する画像を撮像可能である。たとえば、第１撮像部１２は、画像の解像度が２４０ｄｐｉ（Dots per inch）で撮像が可能であり、第２撮像部１３は、画像の解像度が３００ｄｐｉ以上で撮像が可能である。
【００１７】
媒体２０は、情報が表示された物体であり、たとえば、帳票、伝票、運転免許証、保険証等であり、撮像対象となる物体である。帳票や伝票は、文字が表示された紙類であり、押印された印影等を含む場合がある。運転免許証や保険証は、耐久性の良い材質（プラスチック等）で作られたカード型の物体であり、光沢のある表面加工が施されている。媒体２０は、読み取り装置１０を操作する係員によって台座１４に載置される。
【００１８】
情報処理部１７は、イメージスキャナ１１に対し媒体２０を撮像する制御をする装置であり、たとえば、コンピュータである。情報処理部１７は、制御部１８を備える。制御部は、たとえば、情報処理部１７が備えるＣＰＵ（Central Processing Unit）であり、所定の読み取り処理プログラムを実行することにより、その処理機能が実現される。
【００１９】
ここで、読み取り装置１０による媒体２０の読み取り方法について説明する。係員は、媒体２０を台座１４に載置し、情報処理部１７に媒体２０の選択または媒体２０を取り扱う業務の選択を入力する。媒体２０の選択とは、たとえば、文字認識を必要とする媒体、文字認識および印影照合を必要とする媒体、バーコード認識を必要とする媒体、文字認識および画像保存を必要とする媒体、光沢のある媒体、両面撮像を必要とする媒体等を選択することをいう。媒体２０を取り扱う業務の選択とは、たとえば、入金業務、出金業務、口座開設業務、料金納付業務等の媒体２０を取り扱う業務を選択することをいう。
【００２０】
情報処理部１７の制御部１８は、媒体２０の選択または媒体２０を取り扱う業務の選択を受け付ける。制御部１８は、媒体２０または業務に応じて、少なくとも第１撮像部１２または第２撮像部１３のいずれかに媒体２０を撮像させる。たとえば、読み取り装置１０は、第１撮像部１２のみに撮像させることが可能である。また、読み取り装置１０は、第２撮像部１３のみに撮像させることが可能である。また、第１撮像部１２および第２撮像部１３に撮像が可能である。これにより、制御部１８は、媒体２０の上側の面（第１撮像部１２に対向する第１面）の画像と、媒体２０の下側の面（第２撮像部１３に対向する第２面）の画像との２つの画像を取得することが可能である。
【００２１】
制御部１８は、第１撮像部１２および第２撮像部１３から画像データを取得し、画像データに各種の処理を実行できる。
たとえば、制御部１８は、文字認識を必要とする媒体を選択する入力を受け付けた場合、第１撮像部１２に媒体２０を撮像させ、画像を取得する。制御部１８は、取得した画像に文字認識の処理を実行し、媒体２０に表示された文字情報を取得する。
【００２２】
また、制御部１８は、バーコード認識を必要とする媒体を選択する入力を受け付けた場合、第２撮像部１３に媒体２０を撮像させ、画像を取得する。制御部１８は、バーコードのような細かい表示のある媒体２０について、第２撮像部１３で撮像することにより高い解像度の画像を取得することができる。制御部１８は、取得した画像にバーコード認識の処理を実行し、媒体２０に表示されたバーコードに含まれる情報を取得する。
【００２３】
また、制御部１８は、光沢のある媒体を選択する入力を受け付けた場合、第２撮像部１３に媒体２０を撮像させ、画像を取得する。制御部１８は、第２撮像部１３で媒体２０を撮像することにより、光の反射の写り込みを防ぐことができる。
【００２４】
このように、読み取り装置１０は、媒体２０の選択や業務の選択を受け付け、受け付けた選択に応じて、少なくとも第１撮像部１２または第２撮像部１３のいずれかに媒体２０を撮像させることができる。これにより、読み取り装置１０は、読み取り対象となる媒体２０に応じた撮像が可能となる。
【００２５】
［第２の実施の形態］
第２の実施の形態では、第１の実施の形態についてより具体的に説明する。
まず、第２の実施の形態の読み取り装置のハードウェア構成について図２を用いて説明する。
【００２６】
図２は、第２の実施の形態の読み取り装置のハードウェア構成の一例を示す図である。読み取り装置１００は、情報処理装置１１０と、係員からの操作入力を受け付けると共に、業務処理の画面や読み取った画像等を表示する表示入力装置１２０と、各種帳票や本人確認資料の画像を撮像するイメージスキャナ１３０とを有する。
【００２７】
情報処理装置１１０は、プロセッサ１１１、ＲＡＭ（Random Access Memory）１１２、ＨＤＤ（Hard Disk Drive）１１３、画像信号処理部１１４、入力信号処理部１１５、媒体リーダ１１６および通信インタフェース１１７を有する。上記のユニットは、それぞれバス１１８に接続されている。
【００２８】
プロセッサ１１１は、プログラムの命令を実行する演算回路を含むものであり、たとえばＣＰＵ（Central Processing Unit）やＤＳＰ（Digital Signal Processor）である。プロセッサ１１１は、ＨＤＤ１１３に記憶されたプログラムやデータの少なくとも一部をＲＡＭ１１２にロードし、プログラムを実行する。なお、プロセッサ１１１は複数のプロセッサコアを備えてもよく、情報処理装置１１０は複数のプロセッサを備えてもよく、以下で説明する処理を複数のプロセッサまたはプロセッサコアを用いて並列に実行してもよい。また、複数のプロセッサの集合（マルチプロセッサ）を「プロセッサ」と呼んでもよい。
【００２９】
ＲＡＭ１１２は、プロセッサ１１１が実行するプログラムやプロセッサ１１１が演算に用いるデータを一時的に記憶する揮発性の半導体メモリである。なお、情報処理装置１１０は、ＲＡＭ以外の種類のメモリを備えてもよく、複数個のメモリを備えてもよい。
【００３０】
ＨＤＤ１１３は、ＯＳ（Operating System）やミドルウェアやアプリケーションソフトウェア等のソフトウェアのプログラム、および、データを記憶する不揮発性の記憶装置である。プログラムには、各種帳票の読み取りや口座開設等を管理するプログラムが含まれる。なお、情報処理装置１１０は、フラッシュメモリやＳＳＤ（Solid State Drive）等の他の種類の記憶装置を備えてもよく、複数の不揮発性の記憶装置を備えてもよい。
【００３１】
画像信号処理部１１４は、プロセッサ１１１からの命令に従って、情報処理装置１１０に接続されたディスプレイ１２１に画像を出力する。ディスプレイ１２１としては、ＣＲＴ（Cathode Ray Tube）ディスプレイ、液晶ディスプレイ（ＬＣＤ：Liquid Crystal Display）、プラズマディスプレイ（ＰＤＰ：Plasma Display Panel）、有機ＥＬ（ＯＥＬ：Organic Electro-Luminescence）ディスプレイ等を用いることができる。
【００３２】
入力信号処理部１１５には、入力デバイス１２２と、イメージスキャナ１３０が接続されている。入力信号処理部１１５は、バス１１８を介してプロセッサ１１１からの制御信号を各ユニットに通知し、表示入力装置１２０並びにイメージスキャナ１３０からの信号をプロセッサ１１１に通知する。
【００３３】
入力信号処理部１１５は、情報処理装置１１０に接続された入力デバイス１２２から入力信号を取得し、プロセッサ１１１に出力する。また、入力信号処理部１１５は、情報処理装置１１０に接続されたイメージスキャナ１３０から画像データを取得し、プロセッサ１１１に出力する。
【００３４】
入力デバイス１２２としては、マウスやタッチパネルやタッチパッドやトラックボール等のポインティングデバイス、キーボード、リモートコントローラ、ボタンスイッチ等を用いることができる。
【００３５】
イメージスキャナ１３０は、各種帳票や本人確認資料の画像を撮像するヘッドカメラ１３１と台座カメラ１３２とを有する。なお、ヘッドカメラ１３１は、第１の実施の形態における第１撮像部１２に対応するものである。また、台座カメラ１３２は、第１の実施の形態における第２撮像部１３に対応するものである。ヘッドカメラ１３１は、主に各種帳票の画像の読み取りに用いられるカメラである。台座カメラ１３２は、主に本人確認資料や税公金業務で用いられる細かいバーコードの読み取りに用いられるカメラである。台座カメラ１３２は、ヘッドカメラ１３１よりも解像度が高く、狭い範囲を読み取る機能を備える。イメージスキャナ１３０については、後で図３を用いて説明する。
【００３６】
なお、情報処理装置１１０は、その他の複数の種類の入力デバイスが接続されていてもよい。
媒体リーダ１１６は、記録媒体１４０に記録されたプログラムやデータを読み取る読み取り装置である。記録媒体１４０として、たとえば、フレキシブルディスク（ＦＤ：Flexible Disk）やＨＤＤ等の磁気ディスク、ＣＤ（Compact Disc）やＤＶＤ（Digital Versatile Disc）等の光ディスク、光磁気ディスク（ＭＯ：Magneto-Optical disk）、半導体メモリ等を使用できる。媒体リーダ１１６は、たとえば、記録媒体１４０から読み取ったプログラムやデータをＲＡＭ１１２またはＨＤＤ１１３に格納する。
【００３７】
通信インタフェース１１７は、ネットワーク９００に接続され、他のコンピュータ、金融機関の勘定系サーバおよびデータベースと通信を行う。勘定系サーバは、情報処理装置１１０から入出金の情報を受信し、口座情報を更新するコンピュータである。データベースは、口座情報や顧客情報を記憶する記憶装置である。なお、他のコンピュータ、勘定系サーバおよびデータベースの図示については省略する。また、通信インタフェース１１７は、ネットワーク９００を介してプリンタや通帳発行機等の他の電子機器や他のネットワーク等に接続できる。なお、他の電子機器および他のネットワークの図示については省略する。通信インタフェース１１７は、有線通信インタフェースでもよいし、無線通信インタフェースでもよい。
【００３８】
なお、情報処理装置１１０は、媒体リーダ１１６を備えていなくてもよく、係員が操作する端末装置（携帯型電子機器、タブレット型パソコン等）から制御可能である場合には画像信号処理部１１４や入力信号処理部１１５を備えていなくてもよい。また、ディスプレイ１２１や入力デバイス１２２が、情報処理装置１１０の筐体と一体に形成されていてもよい。
【００３９】
次に、イメージスキャナの概略構成について、図３を用いて説明する。図３は、第２の実施の形態のイメージスキャナの概略構成の一例を示す図である。
図３は、イメージスキャナ１３０の斜視図を表している。イメージスキャナ１３０は、第１撮像部（ヘッドカメラ）１３１と、第２撮像部（台座カメラ）１３２と、読み取りヘッド部１３３と、支柱１３４と、台座１３５と、突き当て部材１３６とを有する。
【００４０】
ヘッドカメラ１３１は、支柱１３４の上端から台座１３５の中央上部まで張り出された梁部（読み取りヘッド部１３３）の先端近傍にて、台座１３５に対向する側（下向き）に設けられている。ヘッドカメラ１３１は、画像取得が可能なＣＣＤカメラ等を用いることができる。ヘッドカメラ１３１は、台座１３５に対して読み取り対象面を上向きにして載置された媒体の画像を取得する。なお、支柱１３４から伸びる読み取りヘッド部１３３には、ヘッドカメラ１３１のみではなく、必要に応じて、媒体の撮像時に照らして明るくするための照明装置も設けられる。ヘッドカメラ１３１は、スタンド型スキャナの上部に備えられる画像読み取り部である。
【００４１】
台座カメラ１３２は、台座１３５に埋め込まれ、ヘッドカメラ１３１に対向する側（上向き）に設けられている。台座カメラ１３２は、台座カメラ１３２の領域内であって、台座１３５に対して下向きにして載置された媒体の画像を取得する。台座カメラ１３２は、ラインセンサタイプのスキャナやエリアセンサタイプのスキャナ等を用いることができる。台座カメラ１３２は、フラットベット型のスキャナの台座部分に備えられる画像読み取り部を用いることができる。
【００４２】
台座カメラ１３２は、ヘッドカメラ１３１よりも高解像度を有する。たとえば、ヘッドカメラ１３１が約６００万画素（２４０ｄｐｉ）の解像度を有し、台座カメラ１３２が約１０００万画素（３００ｄｐｉ）の解像度を有する。また、台座カメラ１３２は、ヘッドカメラ１３１よりも範囲が狭い領域を撮像する。たとえば、ヘッドカメラ１３１がＡ４サイズの撮像範囲を有し、台座カメラ１３２がＢ６サイズ以下の撮像範囲を有する。
【００４３】
読み取りヘッド部１３３は、ヘッドカメラ１３１が設けられており、支柱１３４によって支持される。
支柱１３４は、台座１３５の一角に立設された棒状の部材であり、その上部にヘッドカメラ１３１を支持している。
【００４４】
台座１３５は、媒体を撮像するときに、撮像する対象となる媒体を載置するための台であり、矩形の外形を有している。また、台座１３５は、台座カメラ１３２を備えている。
突き当て部材１３６は、撮像する対象となる媒体の縁部を突き当ててヘッドカメラ１３１または台座カメラ１３２に対する媒体の位置決めを行うための部材である。突き当て部材１３６は、台座１３５における台座カメラ１３２が設けられた側の隣接する二辺に沿って、図示の例では、３個ずつ台座１３５に設置されている。
【００４５】
ここで、機能が異なる２つの撮像部（ヘッドカメラ１３１および台座カメラ１３２）を備えるイメージスキャナ１３０の使用方法について説明する。
まず、撮像する対象となる媒体が帳票である場合について説明する。係員は、帳票を読み取る場合、帳票の二辺を突き当て部材１３６の内側に当接させ台座１３５に上向きに載置し、ヘッドカメラ１３１によって媒体の上向き面の画像を読み取らせる。ヘッドカメラ１３１によって読み取られた画像は、情報処理装置１１０に出力される。情報処理装置１１０は、ヘッドカメラ１３１から取得した画像データに基づき、帳票に記入または印刷された文字のＯＣＲ（Optical Character Recognition）認証や帳票に押印された印の印影の照合を実行する。
【００４６】
次に、撮像する対象となる媒体が運転免許証や税公金納付書である場合について説明する。係員は、運転免許証のように表面が光を反射する媒体や税公金納付書等の高解像度での読み取りを要するバーコードが印刷された媒体を読み取る場合、台座１３５の台座カメラ１３２の領域に下向きに媒体を載置する。係員は、運転免許証や税公金納付書等の媒体を台座カメラ１３２によって読み取らせる。台座カメラ１３２によって読み取られた画像は、情報処理装置１１０に出力される。情報処理装置１１０は、台座カメラ１３２から取得した画像データに基づき、画像のファイリングやバーコード認識等を実行する。
【００４７】
ここで、イメージスキャナ１３０が、機能が異なる２つの撮像部を備える理由について説明する。
スタンド型のスキャナは、ヘッドカメラ１３１と媒体との距離が離れていることによる利点がある。たとえば、スタンド型のスキャナにおいて、押印したばかりの帳票を読み取る際に、ヘッドカメラ１３１が媒体に非接触であるため帳票に付着した朱肉が乾くのを待つ必要は無く、ヘッドカメラ１３１が朱肉で汚れる心配もない。また、スタンド型のスキャナは、フラットベッド型のスキャナとは異なり、係員がスキャナの蓋を開閉する手間が無く、操作が容易で作業し易い。
【００４８】
しかし、スタンド型のスキャナにおいて、ヘッドカメラ１３１を用いて運転免許証等のように表面が光で反射する媒体（たとえば、ラミネート加工等がされた媒体）を撮像する際に、光が媒体に反射して画像の取得がうまくできない場合がある。また、スタンド型のスキャナにおいて、ヘッドカメラ１３１で媒体を撮像すると、媒体まで距離が離れているため撮像した画像の歪みの補正が必要となり、画像の調整処理や画質の歩留まり等の点においてフラットベッド型のスキャナの機能に及ばないことがある。
【００４９】
イメージスキャナ１３０は、スタンド型のスキャナに台座カメラ１３２を設けることで、スタンド型スキャナの利点を備えつつ、スタンド型スキャナの欠点を補うことが可能となる。イメージスキャナ１３０は、高解像度で画像を撮像する必要のある媒体や、表面が光で反射する媒体について台座カメラ１３２で撮像する。また、イメージスキャナ１３０は、ＯＣＲ認証や印影照合等高解像度を必要としない媒体についてはヘッドカメラ１３１で撮像する。このように、イメージスキャナ１３０は、機能が異なる２つの撮像部を用いて媒体の特徴に応じて媒体の画像を取得することが可能となる。
【００５０】
また、イメージスキャナ１３０は、台座カメラ１３２を高解像度とするため、ヘッドカメラ１３１の解像度を高解像度とする必要がなくなり、支柱１３４を強固にする必要やヘッドカメラ１３１に対する高精度の調整が不要となる。
【００５１】
また、イメージスキャナ１３０は、ヘッドカメラ１３１および台座カメラ１３２の２つの撮像部を備えて媒体の表面および裏面を撮像することにより、係員が媒体を裏返すことなく媒体両面の画像を一度に取得することができる。フラットベッド型のスキャナで媒体の両面を撮像する場合、媒体の表面をスキャナに取り込んだ後に係員が手動で媒体を裏返す操作が必要になる。これに対し、イメージスキャナ１３０は、２つの撮像部が上下に配置されているため、運転免許証のような硬い材質の媒体であっても一度に両面の撮像が可能である。
【００５２】
次に、金融機関においてイメージスキャナが用いられる対象業務および読み取り媒体との関係の一例について説明する。図４は、第２の実施の業務処理対応表の一例を示す図である。
【００５３】
業務処理対応表２００は、金融機関においてイメージスキャナ１３０が用いられる対象業務および読み取り媒体との関係を示したものである。業務処理対応表２００は、項目番号と、対象業務と、読み取り媒体と、画像処理内容と、使用カメラの項目を含む。項目番号は、業務処理対応表２００に含まれるエントリを識別する識別情報である。対象業務は、金融機関において係員がイメージスキャナ１３０を用いる業務の名称である。読み取り媒体は、対象業務においてイメージスキャナ１３０で読み取る対象となる媒体の名称である。画像処理内容は、イメージスキャナ１３０で撮像した画像を情報処理装置１１０において実行する処理の内容を示す情報である。使用カメラは、イメージスキャナ１３０が備える２種類の撮像部のうち、媒体の画像を撮像する撮像部がヘッドカメラ１３１と台座カメラ１３２のいずれであるかを示す情報である。なお、使用カメラは、１台とは限らず、２台の場合もある。
【００５４】
ここで、業務処理対応表２００の内容について、項目番号の順に説明する。項目番号（１）の対象業務「入金」は、読み取り媒体が「入金伝票」、画像処理内容が「ＯＣＲ認証（文字認識）」、使用カメラが「ヘッドカメラ」である。項目番号（１）は、入金業務において、ヘッドカメラ１３１で入金伝票を撮像して画像データを取得し、情報処理装置１１０で画像データに対してＯＣＲ認証を実行することを示す。
【００５５】
項目番号（２）の対象業務「振込」は、読み取り媒体が「振込依頼書」、画像処理内容が「ＯＣＲ認証（文字認識）」、使用カメラが「ヘッドカメラ」である。項目番号（２）は、振込業務において、ヘッドカメラ１３１で振込依頼書を撮像して画像データを取得し、情報処理装置１１０で画像データに対してＯＣＲ認証を実行することを示す。
【００５６】
なお、項目番号（２）の業務は、項目番号（１）の入金業務と同様に画像を扱うことが可能である。
項目番号（３）の対象業務「出金」は、読み取り媒体が「出金伝票」、画像処理内容が「ＯＣＲ認証（文字認識），印影照合」、使用カメラが「ヘッドカメラ」である。項目番号（３）は、出金業務において、ヘッドカメラ１３１で出金伝票を撮像して画像データを取得し、情報処理装置１１０で画像データに対してＯＣＲ認証および印影照合を実行することを示す。なお、出金伝票は、出金金額等の文字の記入とともに押印がされている。出金業務を実行するためには、出金伝票に押印された印の印影照合を行い、承認する必要がある。
【００５７】
項目番号（４）の対象業務「口座開設」は、読み取り媒体が「口座開設票、本人確認資料（運転免許証、保険証等）」、画像処理内容が「ＯＣＲ認証（文字認識），画像ファイリング」、使用カメラが「ヘッドカメラ、台座カメラ」である。項目番号（４）は、口座開設業務において、ヘッドカメラ１３１で口座開設票を撮像して画像データを取得し、情報処理装置１１０で撮像した画像データに対してＯＣＲ認証を実行することを示す。また、項目番号（４）は、口座開設業務において、台座カメラ１３２で本人確認証の表面を撮像しヘッドカメラ１３１で本人確認証の裏面を撮像して２つの画像データを取得し、情報処理装置１１０で画像データに対してＯＣＲ認証および画像ファイリングを実行することを示す。なお、画像ファイリングとは、情報処理装置１１０が画像データをデータベースに送信し、データベースにおいて画像ファイルを保存する処理である。
【００５８】
項目番号（５）の対象業務「税公金納付」は、読み取り媒体が「税公金納付書」、画像処理内容が「バーコード認識」、使用カメラが「台座カメラ」である。項目番号（５）は、税公金納付業務において、台座カメラ１３２で税公金納付書を撮像して画像データを取得し、情報処理装置１１０で撮像した画像データに対してバーコード認識を実行することを示す。なお、税公金納付書は、予めＧＳ１−１２８コード等のバーコードが印刷されており、バーコードを読み取ることで支払期日や支払金額等の情報を取得できる。
【００５９】
なお、業務における媒体の読み取り処理については、後で図６〜図１１を用いて説明する。
次に、イメージスキャナで撮像される帳票の一例について、図５を用いて説明する。
【００６０】
図５は、第２の実施の形態の帳票例を示す図である。帳票３００は、出金業務に含まれる定期預金払戻業務の際に用いられる定期預金払戻請求書の一例である。
帳票３００は、媒体３０１に、支店番号が記入される枠３０２と、口座番号が記入される枠３０３と、払戻者の氏名が記入される枠３０４と、金額が記入される枠３０５と、届出印が押印される枠３０６とが印字されている。金融機関を利用する顧客は、媒体３０１の枠３０２〜３０５に必要事項を記入し、枠３０６に押印し、金融機関の係員に媒体３０１を渡して定期預金払戻の業務を依頼する。
【００６１】
媒体３０１には、媒体３０１の業務を識別するための業務識別情報３０７が印字されている。たとえば、業務識別情報３０７が「１０１０」である場合、媒体３０１の業務は出金業務を示す。また、業務識別情報が「１００１」である場合、入金業務であることを示す。業務識別情報が「１１００」である場合、口座開設業務であることを示す。
【００６２】
次に、読み取り装置により実行される業務処理について図６〜図１１を用いて説明する。図６は、第２の実施形態の業務処理のフローチャートを示す図である。
業務処理は、読み取り装置１００が業務の選択に応じた処理を実行する処理である。読み取り装置１００の制御部（プロセッサ１１１）は、業務の選択に応じて各処理を実行する。
【００６３】
［ステップＳ１１］制御部は、業務の選択を判定する。制御部は、ディスプレイ１２１に業務選択画面を表示し、業務の選択を係員から受け付け、いずれの業務が選択されたかを判定できる（画面主導処理）。また、制御部は、台座１３５に載置された媒体について、イメージスキャナ１３０で撮像した画像データに含まれる業務識別情報を識別することで業務の選択を判定できる（帳票主導処理）。
【００６４】
制御部は、入金業務（第１の業務）が選択されたと判定した場合にステップＳ１２にすすみ、出金業務（第２の業務）が選択されたと判定した場合にステップＳ１３にすすむ。また、制御部は、口座開設業務（第３の業務）が選択されたと判定した場合にステップＳ１４にすすみ、税公金納付業務（第４の業務）が選択されたと判定した場合にステップＳ１５にすすむ。制御部は、業務が選択されていない場合にステップＳ１１にもどる。
【００６５】
なお、本ステップを帳票主導処理で実行する場合、制御部は、業務識別情報が認識できない、文字が認識できない、バーコードが認識できない、等の不具合を検知し、載置した媒体の表裏の確認を係員に促す画面をディスプレイ１２１に表示することができる。
【００６６】
また、制御部は、ディスプレイ１２１に媒体（たとえば、各種伝票や、運転免許証等）を選択する画面を表示し、係員から媒体の選択を受け付けることにより、媒体を取り扱う業務の選択を判定することができる。制御部は、媒体と業務とを対応づけた情報をＨＤＤ１１３等の記憶部に保持し、媒体に応じた業務の選択を判定できる。
【００６７】
［ステップＳ１２］制御部は、入金処理を実行する。入金処理は、ヘッドカメラ１３１で入金伝票を読み取る処理である。入金処理は、後で図７を用いて説明する。
［ステップＳ１３］制御部は、出金処理を実行する。出金処理は、ヘッドカメラ１３１が出金伝票を読み取る処理である。出金処理は、後で図８を用いて説明する。
【００６８】
［ステップＳ１４］制御部は、口座開設処理を実行する。口座開設処理は、ヘッドカメラ１３１および台座カメラ１３２が口座開設票および本人確認資料を読み取る処理である。口座開設処理は、後で図９および図１０を用いて説明する。
【００６９】
［ステップＳ１５］制御部は、税公金処理を実行する。税公金処理は、台座カメラ１３２が税公金納付書を読み取る処理である。税公金処理は、後で図１１を用いて説明する。
次に、入金処理について図７を用いて説明する。図７は、第２の実施形態の入金処理のフローチャートを示す図である。入金処理は、ヘッドカメラ１３１で入金伝票を読み取る処理である。入金処理は、業務処理のステップＳ１２で読み取り装置１００の制御部（プロセッサ１１１）が実行する処理である。
【００７０】
［ステップＳ２１］制御部は、入金伝票の記入面を上にして台座１３５にセットする指示をディスプレイ１２１に表示する。なお、制御部は、ステップＳ１１において、帳票主導処理を実行した場合、既に入金伝票が台座１３５に載置されているため、本ステップを省略する。
【００７１】
［ステップＳ２２］制御部は、読み取り開始の指示を受け付ける。具体的には、制御部は、イメージスキャナ１３０が備える読み取り開始を指示するボタンの押下や、入力デバイス１２２の読み取り開始を指示するボタンの押下を検知する。なお、イメージスキャナ１３０が備える読み取り開始を指示するボタンは、図示を省略する。
【００７２】
［ステップＳ２３］制御部は、ヘッドカメラ１３１に撮像要求を通知する。
なお、ヘッドカメラ１３１は、制御部から通知された撮像要求に基づき台座１３５に載置された媒体の撮像を実行する。ヘッドカメラ１３１は、入力信号処理部１１５を介し撮像して取得した画像データを制御部に通知する。
【００７３】
［ステップＳ２４］制御部は、ヘッドカメラ１３１から画像データを取得する。
［ステップＳ２５］制御部は、ＯＣＲ認証を実行し、文字認識結果をディスプレイ１２１に表示する。ここでは、制御部が、入金伝票に記入された文字（入金金額等）を正しく認識できたものとして処理をすすめる。
【００７４】
［ステップＳ２６］制御部は、現金の入金を確認した旨の入力を受け付ける。係員は、顧客から入金伝票とともに預かった現金を入金機から入金し、現金の入金を確認した旨、入力デバイス１２２から入力する。制御部は、入力デバイス１２２を介して入金を確認した旨の入力を係員から受け付ける。なお、制御部は、入金金額、入金日付等の現金の入金に関する情報の入力も受け付けるものとする。
【００７５】
［ステップＳ２７］制御部は、入金の承認を受け付ける。たとえば、制御部は、入力デバイス１２２を介して係員から現金の入金の承認要求を受け付け、他のコンピュータに送信する。入金業務の承認者は、他のコンピュータを用いて、入金の承認要求の内容を確認する。他のコンピュータは、入金業務の承認者から入金の承認要求に対する承認応答を受け付け、情報処理装置１１０へ承認応答を送信する。制御部は、他のコンピュータから入金の承認を受信し、ステップＳ２８にすすむ。
【００７６】
［ステップＳ２８］制御部は、入金金額や入金日付等が印字された預かり票の印刷をプリンタに指示し、入金処理を終了する。プリンタは、制御部からの指示を受け、預かり票を印刷する。係員は、預かり票を顧客に渡して、入金業務を終了する。
【００７７】
なお、ステップＳ２６、ステップＳ２７およびステップＳ２８は、各金融機関における個別の業務であり、これらのステップを人手で実行することにより、制御部における処理から省略することが可能である。
【００７８】
次に、出金処理について図８を用いて説明する。図８は、第２の実施形態の出金処理のフローチャートを示す図である。出金処理は、ヘッドカメラ１３１が出金伝票を読み取る処理である。出金処理は、業務処理のステップＳ１３で読み取り装置１００の制御部（プロセッサ１１１）が実行する処理である。
【００７９】
［ステップＳ３１］制御部は、出金伝票の記入面を上にして台座１３５にセットする指示をディスプレイ１２１に表示する。なお、制御部は、ステップＳ１１において、帳票主導処理を実行した場合、既に入金伝票が台座１３５に載置されているため、本ステップを省略する。
【００８０】
［ステップＳ３２］制御部は、読み取り開始の指示を受け付ける。具体的には、制御部は、イメージスキャナ１３０が備える読み取り開始を指示するボタンの押下や、入力デバイス１２２の読み取り開始を指示するボタンの押下を検知する。なお、イメージスキャナ１３０が備える読み取り開始を指示するボタンは、図示を省略する。
【００８１】
［ステップＳ３３］制御部は、ヘッドカメラ１３１に撮像要求を通知する。
なお、ヘッドカメラ１３１は、制御部から通知された撮像要求に基づき台座１３５に載置された媒体の撮像を実行する。ヘッドカメラ１３１は、入力信号処理部１１５を介し撮像して取得した画像データを制御部に通知する。
【００８２】
［ステップＳ３４］制御部は、ヘッドカメラ１３１から画像データを取得する。
［ステップＳ３５］制御部は、ＯＣＲ認証を実行し、文字認識結果をディスプレイ１２１に表示する。ここでは、制御部が、出金伝票に記入された文字（出金金額等）を正しく認識できたものとして処理をすすめる。
【００８３】
［ステップＳ３６］制御部は、印影画像の認証を実行し、認識結果をディスプレイ１２１に表示する。ここでは、制御部が、出金伝票に押印された印の印影の画像が正しく認識できたものとして処理をすすめる。
【００８４】
［ステップＳ３７］制御部は、出金の承認を受け付ける。たとえば、制御部は、入力デバイス１２２を介して係員から現金の出金の承認要求を受け付け、他のコンピュータに送信する。出金業務の承認者は、他のコンピュータを用いて、出金の承認要求の内容を確認する。他のコンピュータは、出金業務の承認者から出金の承認要求に対する承認応答を受け付け、情報処理装置１１０へ承認応答を送信する。制御部は、他のコンピュータから出金の承認応答を受信し、ステップＳ３８にすすむ。なお、制御部は、出金金額、出金日付等の現金の入金に関する情報の入力も受け付けるものとする。
【００８５】
［ステップＳ３８］制御部は、現金の出金を確認した旨の入力を受け付ける。係員は、顧客から出金伝票に記載された現金を出金機から排出し、現金の出金を確認した旨、入力デバイス１２２から入力する。制御部は、入力デバイス１２２を介して出金を確認した旨の入力を係員から受け付ける。
【００８６】
［ステップＳ３９］制御部は、出金金額や出金日付等が印字された出金票の印刷をプリンタに指示し、出金処理を終了する。プリンタは、制御部からの指示を受け、出金票を印刷する。係員は、現金と出金票を顧客に渡して、出金業務を終了する。
【００８７】
なお、ステップＳ３７、ステップＳ３８およびステップＳ３９は、各金融機関における個別の業務であり、これらのステップを人手で実行することにより、制御部における処理から省略することが可能である。
【００８８】
次に、口座開設処理について図９および図１０を用いて説明する。図９は、第２の実施形態の口座開設処理のフローチャートを示す図である（その１）。図１０は、第２の実施形態の口座開設処理のフローチャートを示す図である（その２）。口座開設処理は、ヘッドカメラ１３１および台座カメラ１３２が口座開設票および本人確認資料を読み取る処理である。口座開設処理は、業務処理のステップＳ１４で読み取り装置１００の制御部（プロセッサ１１１）が実行する処理である。
【００８９】
［ステップＳ４１］制御部は、口座開設票の記入面を上にして台座１３５にセットする指示をディスプレイ１２１に表示する。なお、制御部は、ステップＳ１１において、帳票主導処理を実行した場合、既に口座開設票が台座１３５に載置されているため、本ステップを省略する。
【００９０】
［ステップＳ４２］制御部は、読み取り開始の指示を受け付ける。具体的には、制御部は、イメージスキャナ１３０が備える読み取り開始を指示するボタンの押下や、入力デバイス１２２の読み取り開始を指示するボタンの押下を検知する。なお、イメージスキャナ１３０が備える読み取り開始を指示するボタンは、図示を省略する。
【００９１】
［ステップＳ４３］制御部は、ヘッドカメラ１３１に撮像要求を通知する。
なお、ヘッドカメラ１３１は、制御部から通知された撮像要求に基づき台座１３５に載置された媒体の撮像を実行する。ヘッドカメラ１３１は、入力信号処理部１１５を介し撮像して取得した画像データを制御部に通知する。
【００９２】
［ステップＳ４４］制御部は、ヘッドカメラ１３１から画像データを取得する。
［ステップＳ４５］制御部は、ヘッドカメラ１３１から取得した画像データに対してＯＣＲ認証を実行し、文字認識結果をディスプレイ１２１に表示する。ここでは、制御部が、口座開設票に記入された文字（口座開設する顧客名、口座開設年月日等）を正しく認識できたものとして処理をすすめる。
【００９３】
［ステップＳ４６］制御部は、ステップＳ４４で取得した画像データから口座開設票に押印された印の印影画像を取得し、印影画像をデータベースに登録する。具体的には、制御部は、印影画像のデータをデータベースに送信する。データベースは、受信した印影画像のデータを口座開設者の届出印として記憶する。
【００９４】
［ステップＳ４７］制御部は、本人確認資料の表面を下にして台座１３５にセットする指示をディスプレイ１２１に表示する。本人確認資料とは、たとえば、運転免許証や、保険証等である。
【００９５】
［ステップＳ４８］制御部は、本人確認資料の撮像が可能か否かを判定する。制御部は、本人確認資料の撮像が可能である場合にステップＳ４９にすすみ、撮像が可能でない場合にステップＳ４８にもどる。なお、制御部は、ステップＳ４８を再度実行する場合、係員に対して本人確認資料を正しく載置する旨の指示をディスプレイ１２１に表示する。
【００９６】
本ステップの処理について更に詳しく説明する。制御部は、ヘッドカメラ１３１が撮像した画像を取得し、本人確認資料の載置の有無および手写りの有無等に基づき媒体（本ステップの場合は本人確認資料）の撮像の可否を判定する。制御部は、本人確認資料が台座カメラ１３２の撮像領域内に載置されており、かつ、本人確認資料の上方に媒体以外の物が存在しない場合、本人確認資料の撮像が可能と判定する。
【００９７】
たとえば、本人確認資料が運転免許証である場合、表面（顔写真、氏名、住所、交付年月日等の表示面）は下向きで台座カメラ１３２によって撮像され、裏面（備考欄、住所変更等の表示面）は上向きでヘッドカメラ１３１によって撮像される。運転免許証の裏面の表示を画像で取得するためには、運転免許証の裏面とヘッドカメラ１３１との間に障害物が存在しない状態でヘッドカメラ１３１が撮像する必要がある。このため、本人確認資料とヘッドカメラ１３１との間に本人確認資料以外の物が存在するか否かをチェックする。
【００９８】
［ステップＳ４９］制御部は、ヘッドカメラ１３１および台座カメラ１３２に撮像要求を通知する。
なお、ヘッドカメラ１３１は、制御部から通知された撮像要求に基づき台座１３５に上向きに載置された媒体の撮像を実行する。ヘッドカメラ１３１は、入力信号処理部１１５を介し撮像して取得した画像データを制御部に通知する。台座カメラ１３２は、制御部から通知された撮像要求に基づき台座カメラ１３２の撮像範囲に下向きに載置された媒体の撮像を実行する。台座カメラ１３２は、入力信号処理部１１５を介し撮像して取得した画像データを制御部に通知する。
【００９９】
［ステップＳ５０］制御部は、ヘッドカメラ１３１および台座カメラ１３２から画像データを取得する。制御部は、本人確認資料の表面の画像データを台座カメラ１３２から取得し、本人確認資料の裏面の画像データをヘッドカメラ１３１から取得する。
【０１００】
［ステップＳ５１］制御部は、本人確認資料の画像データをデータベースに登録する。
具体的には、制御部は、ステップＳ５０で取得した２つの画像データをデータベースに送信する。データベースは、情報処理装置１１０から画像データを受信し保存する。
【０１０１】
［ステップＳ５２］制御部は、本人確認資料から取得した画像に対してＯＣＲ認証を実行し、本人確認資料の文字認識結果をディスプレイ１２１に表示する。ここでは、制御部が、本人確認資料に表示された文字（氏名、生年月日、住所、備考欄の表示等）を正しく認識できたものとして処理をすすめる。
【０１０２】
［ステップＳ５３］制御部は、開設口座に入金が有るか否かを判定する。制御部は、係員から開設する口座に入金がある旨の入力を受け付けた場合に開設口座に入金があると判定する。また、制御部は、口座開設票の記入面の文字認識結果に基づき、開設口座に入金があると判定できる。制御部は、開設口座に入金が有る場合にステップＳ５４にすすみ、入金が無い場合にステップＳ５５にすすむ。
【０１０３】
［ステップＳ５４］制御部は、開設口座に入金を確認した旨の入力を受け付ける。係員は、顧客から口座開設票とともに預かった現金を入金機から入金し、現金の入金を確認した旨、入力デバイス１２２から入力する。制御部は、入力デバイス１２２を介して入金を確認した旨の入力を係員から受け付ける。なお、制御部は、口座番号、入金金額、入金日付等の開設口座に対する入金に関する情報の入力も受け付けるものとする。
【０１０４】
［ステップＳ５５］制御部は、口座開設の承認を受け付ける。たとえば、制御部は、入力デバイス１２２を介して係員から口座開設の承認要求を受け付け、他のコンピュータに送信する。口座開設業務の承認者は、他のコンピュータを用いて、口座開設の承認要求の内容を確認する。他のコンピュータは、口座開設業務の承認者から口座開設の承認要求に対する承認応答を受け付け、情報処理装置１１０へ承認応答を送信する。制御部は、他のコンピュータから口座開設の承認応答を受信し、ステップＳ５６にすすむ。
【０１０５】
［ステップＳ５６］制御部は、開設口座の口座番号や顧客氏名等が印字された通帳の作成を通帳発行機に指示し、口座開設処理を終了する。通帳発行機は、制御部からの指示を受け、通帳を発行する。係員は、通帳を顧客に渡して、口座開設業務を終了する。
【０１０６】
なお、ステップＳ５３、ステップＳ５４、ステップＳ５５およびステップＳ５６は、各金融機関における個別の業務であり、これらのステップを人手で実行することにより、制御部における処理から省略することが可能である。
【０１０７】
次に、税公金処理について図１１を用いて説明する。図１１は、第２の実施形態の税公金処理のフローチャートを示す図である。税公金処理は、台座カメラ１３２が税公金納付書を読み取る処理である。税公金処理は、業務処理のステップＳ１５で読み取り装置１００の制御部（プロセッサ１１１）が実行する処理である。
【０１０８】
［ステップＳ６１］制御部は、税公金納付書のバーコード印刷面を下にして台座１３５にセットする指示をディスプレイ１２１に表示する。なお、制御部は、ステップＳ１１において、帳票主導処理を実行した場合、既に税公金納付書が台座１３５に載置されているため、本ステップを省略する。
【０１０９】
［ステップＳ６２］制御部は、税公金納付書の撮像が可能か否かを判定する。制御部は、税公金納付書の撮像が可能である場合にステップＳ６３にすすみ、撮像が可能でない場合にステップＳ６２にもどる。なお、制御部は、ステップＳ６２を再度実行する場合、係員に対して税公金納付書を正しく載置する旨の指示をディスプレイ１２１に表示する。
【０１１０】
本ステップの処理について更に詳しく説明する。制御部は、台座カメラ１３２の撮像画像に基づいて、税公金納付書の載置および静止を判定する。制御部は、税公金納付書のバーコード印刷面が台座カメラ１３２の撮像領域内に載置されており、かつ、税公金納付書が静止している場合、税公金納付書の撮像が可能と判定する。
【０１１１】
［ステップＳ６３］制御部は、台座カメラ１３２に撮像要求を通知する。なお、台座カメラ１３２は、制御部から通知された撮像要求に基づき台座１３５に載置された媒体の撮像を実行する。ヘッドカメラ１３１は、入力信号処理部１１５を介し撮像して取得した画像データを制御部に通知する。
【０１１２】
［ステップＳ６４］制御部は、台座カメラ１３２から画像データを取得する。
［ステップＳ６５］制御部は、台座カメラ１３２から取得した画像データに対してバーコード認証を実行し、バーコード認識の結果をディスプレイ１２１に表示する。制御部は、バーコード認識を実行することにより、バーコードに含まれる情報（納付期限日、納付金額、税公金納付口座番号等）の情報を取得する。ここでは、制御部が、バーコードを正しく認識できたものとして処理をすすめる。
【０１１３】
［ステップＳ６６］制御部は、税公金納付口座に入金を確認した旨の入力を受け付ける。係員は、顧客から税公金納付書とともに預かった現金を入金機から入金し、現金の入金を確認した旨、入力デバイス１２２から入力する。制御部は、入力デバイス１２２を介して入金を確認した旨の入力を係員から受け付ける。なお、制御部は、税公金納付口座番号、入金金額、入金日付等の税公金納付に関する情報の入力も受け付けるものとする。
【０１１４】
［ステップＳ６７］制御部は、税公金入金の承認を受け付ける。たとえば、制御部は、入力デバイス１２２を介して係員から税公金入金の承認要求を受け付け、他のコンピュータに送信する。税公金の入金業務の承認者は、他のコンピュータを用いて、税公金入金の承認要求の内容を確認する。他のコンピュータは、税公金の入金業務の承認者から税公金入金の承認要求に対する承認応答を受け付け、情報処理装置１１０へ承認応答を送信する。制御部は、他のコンピュータから税公金入金の承認応答を受信し、処理を終了する。
【０１１５】
係員は、税公金入金の受領書に受領印を押印し、押印した受領書を顧客に渡して税公金納付業務を終了する。
次に、読み取り装置による帳票の撮像について図１２を用いて説明する。図１２は、第２の実施の形態の読み取り装置による帳票の撮像の一例を示す図である。
【０１１６】
図１２は、読み取り装置１００に含まれるイメージスキャナ１３０が、媒体として帳票４００を撮像する状態の一例を示している。
帳票４００は、台座カメラ１３２（点線で図示）の上方、かつ、突き当て部材１３６の内側に載置される。また、帳票４００は、文字が記入された面をヘッドカメラ１３１に対向する側に、すなわち、上向きに台座１３５に載置される。
【０１１７】
イメージスキャナ１３０は、ヘッドカメラ１３１を用いて帳票４００を撮像する。イメージスキャナ１３０において、台座カメラ１３２は、台座１３５の突き当て部材１３６の内側に配置される。また、イメージスキャナ１３０において、台座カメラ１３２は、媒体を撮像する面（ガラス面）の大きさを帳票４００の大きさ以下で構成される。
【０１１８】
このようなイメージスキャナ１３０の構成により、帳票４００が台座カメラ１３２の上方、かつ、突き当て部材１３６の内側に載置されることによって、台座カメラ１３２のガラス面が覆われて隠れる。これにより、ヘッドカメラ１３１で帳票４００を撮像する際に、台座カメラ１３２のガラス面の反射を防ぐことができる。
【０１１９】
次に、読み取り装置による運転免許証の撮像について図１３を用いて説明する。図１３は、第２の実施の形態の読み取り装置による運転免許証の撮像の一例を示す図である。
図１３は、読み取り装置１００に含まれるイメージスキャナ１３０が、媒体として運転免許証４１０を撮像する状態の一例を示している。
【０１２０】
運転免許証４１０は、台座カメラ１３２の上方の撮像範囲内、かつ、突き当て部材１３６の内側に載置される。また、運転免許証４１０は、写真が表示された表面を台座カメラ１３２に向け、備考欄が表示された裏面をヘッドカメラ１３１に向けて載置される。
【０１２１】
カバー４２０は、台座カメラ１３２の上部に載置された媒体と台座カメラ１３２との隙間を埋め、ヘッドカメラ１３１で撮像する際に台座カメラ１３２の反射を防ぐために載置される略Ｌ字型の薄い板状の物体である。カバー４２０は、ゴム、プラスチック、布等の材料で形成してもよいし、これらを張り合わせて形成してもよい。カバー４２０は、光の反射を防ぐための物体であり、同様の効果が得られるものであればその他の素材であってもよい。
【０１２２】
イメージスキャナ１３０は、情報処理装置１１０からの指示を受け、運転免許証４１０の表面に対し台座カメラ１３２を用いて撮像し、運転免許証４１０の裏面に対しヘッドカメラ１３１を用いて撮像する。
【０１２３】
こうして、読み取り装置１００は、読み取り媒体に応じて、ヘッドカメラ１３１と台座カメラ１３２とを使い分けて媒体を撮像することができる。読み取り装置１００は、２種類の撮像部を用いることで、１つの媒体の表面の画像データと裏面の画像データとを異なる解像度で取得することが可能である。また、読み取り装置１００は、実行する業務の選択または撮像する媒体の選択を受け付け、受け付けた業務の選択または媒体の選択に応じて複数の撮像部を制御できる。
【０１２４】
上記の処理機能は、コンピュータによって実現することができる。その場合、情報処理部１７、情報処理装置１１０が有すべき機能の処理内容を記述したプログラムが提供される。そのプログラムをコンピュータで実行することにより、上記処理機能がコンピュータ上で実現される。
【０１２５】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ（Hard Disk Drive）、フレキシブルディスク（ＦＤ）、磁気テープ（ＭＴ）等がある。光ディスクには、ＤＶＤ（Digital Versatile Disc）、ＤＶＤ−ＲＡＭ（Random Access Memory）、ＣＤ−ＲＯＭ（Compact Disc - Read Only Memory）、ＣＤ−Ｒ（Recordable）／ＲＷ（ReWritable）等がある。光磁気記憶媒体には、ＭＯ（Magneto - Optical disk）等がある。半導体メモリには、ＵＳＢ（Universal Serial Bus）メモリ等のフラッシュメモリがある。
【０１２６】
上記プログラムを流通させる場合には、たとえば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１２７】
上記プログラムを実行するコンピュータは、たとえば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送される毎に、逐次、受け取ったプログラムに従った処理を実行することもできる。
【０１２８】
また、プログラムで記述された処理の一部または全てを、電子回路に置き換えることが可能である。たとえば、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現してもよい。
【０１２９】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成及び応用例に限定されるものではない。
【符号の説明】
【０１３０】
１０  読み取り装置
１１  イメージスキャナ
１２  第１撮像部
１３  第２撮像部
１４  台座
１５  支柱
１６  ヘッド部
１７  情報処理部
１８  制御部
２０  媒体
【図１】
2018207204.tif 000003
【図２】
2018207204.tif 000004
【図３】
2018207204.tif 000005
【図４】
2018207204.tif 000006
【図５】
2018207204.tif 000007
【図６】
2018207204.tif 000008
【図７】
2018207204.tif 000009
【図８】
2018207204.tif 000010
【図９】
2018207204.tif 000011
【図１０】
2018207204.tif 000012
【図１１】
2018207204.tif 000013
【図１２】
2018207204.tif 000014
【図１３】
2018207204.tif 000015